(57)【特許請求の範囲】
【請求項１】
少なくとも一個のランプを有した光源手段と、この光源手段からの光を散乱反射させるように配された散乱反射手段と、この散乱反射手段を回転させる回転手段と、レンズ手段を有していると共に散乱反射手段により散乱反射された光をレンズ手段を介して外部に導出する導出手段と、散乱反射手段とレンズ手段との間の距離を調節するフォーカス手段とを具備しており、回転手段は、電動モータと、散乱反射手段に固着された回転軸と、電動モータの出力回転軸の回転を回転軸に伝達する歯車機構とを具備しており、フォーカス手段は、回転手段の電動モータ、回転軸及び歯車機構が載置された基台と、この基台に螺合したねじ軸と、このねじ軸を回転させて基台を移動させるフォーカスハンドルとを具備しており、フォーカスハンドル操作に基づくねじ軸の回転により基台及び回転手段を介して散乱反射手段をレンズ手段に対して移動させることによって、散乱反射手段とレンズ手段との間の距離を調節するようになっているメラ効果用照明装置。
【請求項２】
光源手段は、ランプの発光強度を調節する調光手段を具備している請求項１に記載のメラ効果用照明装置。
【請求項３】
光源手段は、少なくとも２個のランプを具備しており、調光手段は、個々のランプの発光強度を調節できるように、構成されている請求項２に記載のメラ効果用照明装置。
【請求項４】
散乱反射手段は、光源手段からの光を受光してこれを散乱反射させる反射面と、反射面を支持する支持体とを具備しており、この支持体は、回転手段の回転軸に固着されている請求項１から３のいずれか一項に記載のメラ効果用照明装置。
【請求項５】
反射面は、支持体に交換自在に支持されている請求項４に記載のメラ効果用照明装置。
【請求項６】
反射面は、皺付けされた銀紙の面からなる請求項４又は５に記載のメラ効果用照明装置。
【請求項７】
反射面は、支持体の一方の面からなり、支持体の一方の面は、光源手段からの光を受光してこれを散乱反射させるべく、ランダムな凹凸面に形成されている請求項４又は５に記載のメラ効果用照明装置。
【請求項８】
レンズ手段は、少なくとも一個の平凸レンズ又はフレネルレンズを具備している請求項１から７のいずれか一項に記載のメラ効果用照明装置。
【請求項９】
回転手段は、散乱反射手段の反射面を正逆転させることができるように、構成されている請求項１から８のいずれか一項に記載のメラ効果用照明装置。
【請求項１０】
回転手段は、散乱反射手段の反射面の回転速度を変化させることができるように、構成されている請求項１から９のいずれか一項に記載のメラ効果用照明装置。
【発明の詳細な説明】
【０００１】
【発明の属する技術分野】
本発明は、メラ効果用照明装置に関する。
【０００２】
【発明が解決しようとする課題】
テレビスタジオ又は舞台等においては、特殊効果用として、図３に示すように、床１０１に反射率の高い銀紙１０２を皺くちゃにして広げ、銀紙１０２に照明装置１０３からのスポットライト１０４を当て、銀紙１０２からの反射光（銀紙の皺くちゃ模様）をホリゾント板又はスクリーン（背景板又はスクリーン）１０５等に映しだすことが行なわれている。この特殊効果は、通常メラ
（効果）といわれている。
【０００３】
ところで上記のメラ
（効果）の現出手段では、銀紙１０２を皺くちゃにして広げるために、多くの作業時間を必要とし、また、銀紙１０２を広げるスペースを確保する必要があり、加えて、銀紙１０２の固定が困難であって、メラの再現性も乏しいという問題を有している。
【０００４】
本発明は、前記諸点に鑑みてなされたものであって、その目的とするところは、メラを簡単な作業で現出させることができる上に、銀紙を広げるスペースを確保する必要もなく、再現性に極めて優れたメラ効果用照明装置を提供することにある。
【０００５】
本発明の他の目的とするところは、立体的なメラ、揺動若しくは回転したりする動的なメラ又は明るさ若しくは鮮明度が変化するメラ等を簡単に現出させることができるメラ効果用照明装置を提供することにある。
【０００６】
【課題を解決するための手段】
本発明によれば前記目的は、光源手段と、この光源手段からの光を散乱反射させるように配された散乱反射手段と、この散乱反射手段により散乱反射された光を外部に導出する導出手段とを具備したメラ効果用照明装置によって達成される。
【０００７】
本発明の一つでは、光源手段は、光源として少なくとも一個のランプと、このランプの発光強度を調節する調光手段とを具備している。なお、光源手段が少なくとも２個の光源、例えば少なくとも２個のランプを具備している場合には、個々のランプの発光強度を調節できるように、調光手段を構成してもよい。
【０００８】
本発明の散乱反射手段としては、光源手段からの光を受光してこれを散乱反射させる反射面と、反射面を支持する支持体とを具備して構成してもよく、この場合、反射面を、支持体に交換自在に支持させてもよい。反射面としては、皺付けされた銀紙の面から構成してもよいが、これに代えて、光源手段からの光を受光してこれを散乱反射させるべく、ランダムな凹凸面に支持体の一方の面を形成し、この支持体の一方の面を反射面としてもよく、また特に設計されたメラ板のランダムな凹凸面を反射面としてもよい。
【０００９】
導出手段としては、散乱反射された光を通過させる貫通孔を規定する単なる筒体であってもよいが、これに代えて又はこれと共にレンズ手段を具備して構成してもよい。レンズ手段として、少なくとも一個の平凸レンズ又はフレネルレンズを具備しているものを好ましい例として挙げることができる。本発明のメラ効果用照明装置がレンズ手段を具備して構成される場合、散乱反射手段とレンズ手段との間の距離を調節するフォーカス手段を更に具備して構成してもよく、このフォーカス手段を設けると、鮮明度が変化するメラを現出させることができ、好ましい。
【００１０】
また本発明では、散乱反射手段を回転させる回転手段を更に具備して構成してもよく、回転手段としては、散乱反射手段の反射面を正逆転させることができるように、構成されていても、散乱反射手段の反射面の回転速度を変化させることができるように、構成されていてもよい。回転手段は、電動モータと、散乱反射手段に固着された回転軸と、電動モータの出力回転軸の回転を回転軸に伝達する歯車機構とを具備し、斯かる場合に、フォーカス手段は、回転手段の電動モータ、回転軸及び歯車機構が載置された基台と、基台に螺合したねじ軸と、ねじ軸を回転させて基台を移動させるフォーカスハンドルとを具備し、フォーカスハンドル操作に基づくねじ軸の回転により基台及び回転手段を介して散乱反射手段をレンズ手段に対して移動させることによって、散乱反射手段とレンズ手段との間の距離を調節するようになっていて、回転手段の回転軸は、散乱反射手段の支持体に固着されていてもよい。
【００１１】
【発明の実施の形態】
次に本発明の実施の形態を、図に示す好ましい実施例に基づいて更に詳細に説明する。なお、本発明はこれら実施例に何等限定されないのである。
【００１２】
【実施例】
図１及び図２において、本例のメラ効果用照明装置１は、筐体２と、光源手段３と、光源手段３からの光を散乱反射させるように配された散乱反射手段４と、散乱反射手段４により散乱反射された光を外部に導出する導出手段５と、散乱反射手段４と導出手段５との間の距離を調節するフォーカス手段６と、散乱反射手段４を回転させる回転手段７と、筐体２内を冷却する冷却ファン等からなる冷却手段８と、筐体２を支持する脚９とを具備している。
【００１３】
光源手段３は、筐体２内に固定されて配された少なくとも一個のランプ、本例では２個のランプ１１と、ランプ１１の発光強度を調節する調光手段（図示せず）と、ランプ１１の光を反射させて散乱反射手段４に向かわせる反射板１２とを具備しており、調光手段は、ランプ１１のそれぞれの発光強度を調節できるように、構成されており、この発光強度の調節を手動で行えるように、筐体２の裏面１３に、調節摘み（図示せず）を具備して構成されている。２個のランプ１１は、互いに異なる角度で散乱反射手段４にその発光光が入射されるように、互いにある程度離れて配置されている。ランプ１１としては、通常、白色光を発生するものが使用されるが、特にこれに限定されず、その他の色の光を発生するものでもよく、また、白色光を発生するランプ１１を用いて、ランプ１１と散乱反射手段４との間に、色フィルタを配して光源手段３を構成してもよい。
【００１４】
散乱反射手段４は、ランプ１１からの光を受光してこれを散乱反射させるメラ板１５と、メラ板１５を交換自在（取り外し自在）に支持する支持体１６とを具備している。支持体１６は、導出手段５の光軸１７を中心として回転自在となるように筐体２内に支持されており、メラ板１５の一方の面（反射面）は、ランプ１１からの光を受光してこれを散乱反射させるように、ランダムな凹凸面に形成されている。
【００１５】
導出手段５は、筐体２の貫通孔２１に固定して配された平凸レンズ２２等からなるレンズ手段２３を具備している。本例では、レンズ手段２３の光軸１７上に支持体１６の回転中心が位置しているが、本発明はこれに限定されず、支持体１６の回転中心がレンズ手段２３の光軸１７から偏心していてもよい。
【００１６】
回転手段７は、筐体２内に配された電動モータ３１と、支持体１６に固着された回転軸３２と、電動モータ３１の出力回転軸３３の回転を減速して回転軸３２に伝達する歯車機構３４と、電動モータ３１の出力回転軸３３の回転を制御する制御装置（図示せず）とを具備しており、回転手段７の制御装置は、支持体１６を正逆転させ又は支持体１６の回転速度を変化させることができるように、構成されており、この正逆転及び回転速度の変化を指示できるスイッチ及び摘み（図示せず）を具備しており、これらスイッチ及び摘みは、上述の発光強度調節用の摘みと同様に、筐体２の裏面１３に手動操作可能に取り付けられている。
【００１７】
フォーカス手段６は、メラ板１５を支持する支持体１６を光軸１７に沿って移動させて、メラ板１５と平凸レンズ２２との間の距離を調節するようになっており、電動モータ３１、回転軸３２及び歯車機構３４等が載置された基台４１と、基台４１に螺合したねじ軸４２と、ねじ軸４２を手動で回転させて基台４１を移動させるフォーカスハンドル４３とを具備しており、フォーカスハンドル４３もまた筐体２の裏面１３に露出して配されている。なお、フォーカス手段６は、支持体１６を固定する一方、平凸レンズ２２を光軸１７に沿って移動させて又は支持体１６及び平凸レンズ２２の両方を光軸１７に沿って移動させて、メラ板１５と平凸レンズ２２との間の距離を調節するように、構成されていてもよい。
【００１８】
以上のメラ効果用照明装置１では、ランプ１１を点灯することにより、図２に示すように、ホリゾント板又はスクリーン１０５に、ランプ１１のそれぞれに基づくメラ板１５の一方の面の像（メラ像）を拡大して映しだすことができる。また、支持体１６を回転させることにより、ホリゾント板又はスクリーン１０５への投影メラを回転させることができ、更に、ランプ１１のそれぞれを独立に調光すると、一方のランプ１１に基づく投影メラと他方のランプ１１に基づく投影メラとの明るさを変化させることができる。更に、フォーカス手段６を操作することにより、ホリゾント板又はスクリーン１０５への投影メラの輪郭をぼかしたり、明確にしたりすることができる。その上、メラ効果用照明装置１では、銀紙を床に広げる必要がなく、加えて、再現性よくホリゾント板又はスクリーン１０５へメラを映し出すことができる。
【００１９】
なお、複数個のランプ１１を設ける場合、換言すれば、複数個の光源を設ける場合、摘みの手動操作により、個々の光源を、独立してメラ板１５に対して接近、離反させることができるように、構成してもよい。
【００２０】
【発明の効果】
以上のように本発明によれば、メラを簡単な作業で現出させることができる上に、銀紙を広げるスペースを確保する必要もなく、再現性に極めて優れたメラ効果用照明装置を提供することができる。更に、立体的なメラ、揺動若しくは回転したりする動的なメラ又は明るさ若しくは鮮明度が変化するメラ等を簡単に現出させることができる。
【図面の簡単な説明】
【図１】本発明の好ましい一実施例の断面説明図である。
【図２】図１に示す実施例の使用状態説明図である。
【図３】従来例の説明図である。
【符号の説明】
１  メラ効果用照明装置
３  光源手段
４  散乱反射手段
５  導出手段
【図１】
0003680386.tif 000002
【図２】
0003680386.tif 000003
【図３】
0003680386.tif 000004